(57)【要約】【課題】高い携帯性を維持しながら使用時の利便性を向上させるために、上端部を閉じることや背負うことが容易に可能となる携帯バッグを提供すること。【解決手段】片側または両側の持ち手の対向する側面の持ち手付け根部の間に、持ち手を通すことができる構造部を具備することを特徴とする。片側または両側に２本以上の持ち手を具備することを特徴とする。１本以上の持ち手が一箇所以上の部分で分離・連結することが可能な構造を具備することを特徴とする。片側または両側の持ち手の付け根部間が通常折り曲げることができない程度の強度を有する構造であることを特徴とする。【選択図】図１
0003147125.tif 000002
【実用新案登録請求の範囲】
【請求項１】
上端に開口部を有し、上端または側面に互いに対向する持ち手を有する携帯バッグであって、片側または両側の持ち手の対向する側面の持ち手付け根部の間に、持ち手を通すことができる構造部を具備することを特徴とする携帯バッグ。
【請求項２】
上記請求項１に記載の携帯バッグであって、片側または両側に２本以上の持ち手を有することを特徴とする携帯バッグ。
【請求項３】
上記請求項１に記載の携帯バッグであって、１本以上の持ち手が一箇所以上の部分で分離・連結することが可能な構造を有することを特徴とする携帯バッグ。
【請求項４】
上記請求項１に記載の携帯バッグであって、片側または両側の少なくとも持ち手付け根部の間を、通常折り曲げることができない程度に強度を有する構造とすることを特徴とする携帯バッグ。
【考案の詳細な説明】
【技術分野】
【０００１】  本考案は、持ち手を、持ち手を通すことが出来る構造部に通すことによって、背負うことや、上端部を閉じることが容易に出来るものとした携帯バッグに関する。
【背景技術】
【０００２】  従来より、携帯バッグとして旅行用や環境問題への対応を目的とするエコバッグなどが普及している。携帯バッグは、高い携帯性を確保するために、コンパクトに折り畳める構造であり、細い持ち手の使用や薄く軽量な生地を使用しているものがほとんどである。このようなものとして、たとえば特許文献１に開示されているように、折り畳みバッグ部は適当に折り畳み、この折り畳んだ状態で小型の収納ケースに収納する。
【特許文献１】実用新案登録第３０９５３３３号
【考案の開示】
【考案が解決しようとする課題】
【０００３】  携帯バッグの性質上、携帯バッグ使用時には他のバッグも持っていることが多いと一般に考えられるが、上記の携帯バッグでは、その際に持ち運びが困難となることや、収納物が重い場合には手に持ち手が手に食い込むこともあり得る。また、使用時は上端部が開いてしまい収納物が見えることや、生地がよれることで見栄えが悪くなることもあり得る。これらは、上記の携帯バッグでは、使用時の利便性に問題があることを示している。【０００４】  このようなことから本考案が解決しようとする課題（技術的課題または目的）は、高い携帯性を維持しながら使用時の利便性を向上させるために、背負うことや上端部を閉じることが容易に可能となる携帯バッグを提供することである。
【課題を解決するための手段】
【０００５】  そこで、考案者は、上記課題を解決すべく、本考案を、片側または両側の持ち手の対向する側面の持ち手付け根部の間に、持ち手を通すことができる構造部を具備する携帯バッグとしたことにより、上記課題を解決した。【０００６】  請求項２の考案は、請求項１の構成において、片側または両側に２本以上の持ち手を具備する携帯バッグとしたことにより、上記課題を解決した。【０００７】  請求項３の考案は、請求項１の構成において、１本以上の持ち手が一箇所以上の部分で分離・連結することが可能な構造を具備する携帯バッグとしたことにより、上記課題を解決した。【０００８】  請求項４の考案は、請求項１の構成において、片側または両側の持ち手の少なくとも付け根部間を通常折り曲げることができない程度に強度を有する構造とする携帯バッグとしたことにより、上記課題を解決した。
【考案の効果】
【０００９】  請求項１の考案によれば、持ち手に複数の機能を持たせることができる。これにより、高い携帯性を維持したまま使用時の利便性を向上させることができる。具体的には、側面の持ち手付け根部の間に具備された持ち手を通すことができる構造部に、上端または側面に互いに設けられた対向する持ち手を纏めて通すことで、背負うことができるものである。また、該持ち手を通すことが出来る構造部と対向する側面の持ち手のみを通すことで、上端部を閉じた状態を維持して携帯バッグを使用することができるものである。【００１０】  請求項２の考案によれば、個々の持ち手に異なる機能を持たせることができる。これにより、高い携帯性を維持したまま、更に使用時の利便性を向上させることができる。具体的には、同じ側面に具備された持ち手を、背負うために使用することもできる。これにより、片側の２本以上の持ち手を、対向する側面の持ち手付け根部の間に具備された持ち手を通すことができる構造部に通すことで、より安定して携帯バッグを背負うことができるものである。また、背負う際に背中に接しない側面の生地がよれ難くなることで、より見栄え良く背負うことも可能となる。【００１１】  同様に、請求項２の考案によれば、収納物の重量に応じて必要なだけの持ち手を使用して手提げすることもできる。これにより収納物が重い場合にも無理なく携帯バッグを持ち運ぶことができるものである。【００１２】  同様に、請求項２の考案によれば、携帯バッグを保持するための持ち手と、上端部を閉じるために使用する持ち手を別にすることもできる。これにより、手提げ時に使用しない持ち手を、対向する側面の持ち手付け根部の間に具備された持ち手を通すことができる構造部に通すことで、より安定して上端部を閉じた状態を維持し携帯バッグを使用することができるものである。また、使用中の上端部の開閉も可能となる。【００１３】  請求項３の考案によれば、分離・連結することが可能な構造を具備する持ち手を、背負うために使用することもできる。これにより、持ち手が短い場合にも背負うことができるものである。また、上端部を閉じるために、分離・連結することが可能な構造を具備する持ち手を使用した場合、分離した状態で対向する持ち手の付け根部に固定することで、より上端部の開口部を少なくすることも可能となる。【００１４】  請求項４の考案によれば、持ち手を、持ち手を通すことができる構造部に通したときに、持ち手の間が狭まることで生地がよれることを防止することもできる。これにより、請求項１、請求項２、請求項３のいずれの場合においても、より安定して背負うことや上端部を閉じることができるものである。また、生地がよれ難くなることで、より見栄え良く背負うことや上端部を閉じることも可能となる。【００１５】  同様に、請求項４の考案によれば、携帯バッグを折り畳むときは、折り畳み傘を折り畳むように、片側または両側の持ち手付け根部の間に設けられた、通常折り曲げることができない程度に強度を有する構造部を軸として、その周囲に携帯バッグ本体部を巻きつけることで、より簡便に折り畳むことができるものである。
【考案を実施するための最良の形態】
【００１６】  以下、本考案の一実施形態を図面に基づいて説明する。本考案は、図１に示すように、主に携帯バッグ本体部１、基準の持ち手２、対向する基準の持ち手３、自由に使用可能な持ち手４、持ち手を通すことができる構造部５及び、持ち手付け根部の間の構造部６から構成されている。【００１７】  この携帯バッグ本体部１は、布地、ナイロン、合成樹脂、紙等の柔軟な生地で形成されている。この携帯バッグ本体部１は、折り畳みが容易であり、適宜に折曲して丸める等によって、サイズを小さくすることができる。【００１８】  携帯バッグ本体部１は、折り畳み状態から広げたときには、図１に示すように、手提げまたは肩掛けタイプのバッグとして使用できる。その携帯バッグ本体部１は、略長方形、正方形等の方形状に形成され、２つの側面が対向するようにして構成される。【００１９】  そして、携帯バッグ本体部１には、図１に示すように、基準の持ち手２、対向する基準の持ち手３、自由に使用可能な持ち手４が設けられている。基準の持ち手２、対向する基準の持ち手３、自由に使用可能な持ち手４は、手に提げるのに適切なループ状をなしており、手に持つことが容易にできるものである。具体的には、基準の持ち手２と対向する基準の持ち手３及び自由に使用可能な持ち手４は、携帯バッグ本体部１に対して対向する側面部にそれぞれ装着されており、携帯バッグ本体部１の上方に略逆Ｕ字形状に設けられている。また、自由に使用可能な持ち手４の中心部にはマジックテープやボタン等によって、分離・連結することが可能な構造部４ａが設けられている。基準の持ち手２において携帯バッグ本体部１への接合箇所を、付け根部２ａ、２ｂと称し、対向する基準の持ち手３と自由に使用可能な持ち手４において携帯バッグ本体部１への接合箇所は、付け根部３ａ、３ｂと称する。【００２０】  また、携帯バッグ本体部１には、図１に示すように、持ち手を通すことができる構造部５が設けられている。持ち手を通すことができる構造部５は、対向する基準の持ち手３と自由に使用可能な持ち手４を通すのに適切なループ状をなしており、対向する基準の持ち手３と自由に使用可能な持ち手４を纏めて通すことが容易にできるものである。具体的には、持ち手を通すことができる構造部５は、付け根部２ａ、２ｂ間の中心部に装着されており、携帯バッグ本体部１の上方に略逆Ｕ字形状に設けられている。【００２１】  また、携帯バッグ本体部１には、図１に示すように、片側の持ち手付け根部の間に、持ち手付け根部の間の構造部６が設けられている。具体的には、持ち手付け根部の間の構造部６は、棒状に加工された木材、合成樹脂、金属等の素材で形成されており、携帯バッグ本体部１の上端部の付け根部３ａ、３ｂ間に縫い込んで設けられている。【００２２】  本実施形態に述べる構成の携帯バッグを、背負って使用する方法を図２に示す。具体的には、基準の持ち手２を、携帯バッグ本体部１の内側に折り下げる。次に、対向する基準の持ち手３と自由に使用可能な持ち手４を、持ち手を通すことができる構造部５に通す。さらに、対向する基準の持ち手３と自由に使用可能な持ち手４を、ループ状とするために付け根部まで引っ張り出す。以上の方法で、携帯バッグを背負って���ち運ぶことが可能となる。また、持ち手の長さが十分でない場合は、自由に使用可能な持ち手４に設けられた、分離・連結することが可能な構造部４ａで分離し、肩にまわし込んだ後再度連結することも可能となる。【００２３】  本実施形態に述べる構成の携帯バッグを、手に提げて使用するときに、上端部を閉じる方法を図３に示す。具体的には、図３（Ａ）に示すように、自由に使用可能な持ち手４を、持ち手を通すことができる構造部５に通す。次に、自由に使用可能な持ち手４を、上端部が適度に閉じるまで引っ張り出し、持ち手を通すことができる構造部５で折り返して巻き付けるまたは結びつける。以上の方法で、周囲の他者に収納物を見られることなく、携帯バッグを持ち運ぶことが可能となる。さらに、図３（Ｂ）に示すように、自由に使用可能な持ち手４を、分離・連結することが可能な構造部４ａで分離し、それぞれ個別に付け根部２ａ、２ｂに巻き付けまたは結びつけて固定することで、より上端部の開口部を少なくすることも可能となる。【００２４】  本実施形態に述べる構成の携帯バッグを、簡便に折り畳む方法を図４に示す。具体的には、図４（Ａ）に示すように、まず、全ての持ち手を携帯バッグ本体部１の上に置く。次に、付け根部２ａ、２ｂに合わせて携帯バッグ本体部１を折り畳み、持ち手付け根部の間の構造部６を軸として携帯バッグ本体部１を巻きつける。〔図４（Ｂ）及び、図４（Ｃ）参照〕。以上の方法で、より簡便に携帯バッグを折り畳むことが可能となる。
【図面の簡単な説明】
【００２５】
【図１】本考案の斜視図である。
【図２】本考案の背負う場合の斜視図である。
【図３】本考案の上端部を閉じる場合の斜視図である。（Ａ）は、自由に使用可能な持ち手４と持ち手を通すことができる構造部５を用いる場合の図、（Ｂ）は、自由に使用可能な持ち手４を分離・連結することが可能な構造部４ａで分離して用いる場合の図。
【図４】本考案の携帯バッグを折り畳む場合の手順を示す図である。（Ａ）は広げた状態の折り曲げ箇所を示す図、（Ｂ）は（Ａ）の折り曲げを終了し持ち手付け根部の間の構造部６を軸として携帯バッグを巻きつける様子を示した図、（Ｃ）は完全に折り畳みが終了した図。
【符号の説明】
【００２６】  １    携帯バッグ本体部
２    基準の持ち手
２ａ  付け根部
２ｂ  付け根部
３    対向する基準の持ち手
３ａ  付け根部
３ｂ  付け根部
４    自由に使用可能な持ち手
４ａ  分離・連結することが可能な構造部
５    持ち手を通すことができる構造部
６    持ち手付け根部の間の構造部
【図１】
0003147125.tif 000003
【図２】
0003147125.tif 000004
【図３】
0003147125.tif 000005
【図４】
0003147125.tif 000006